(57)【要約】【課題】ゴルフクラブヘッドのバランス調整作業が容易でメンテナンス性に優れ、部品の損耗が発生し難く、耐久性に優れ、ユーザの好み等に応じてカスタマイズしたゴルフクラブヘッドの仕様情報や三次元重心位置情報などを記憶して、いつでも簡便かつ確実に最適な設定を再現することができ、取扱い性に優れ、１つのゴルフクラブヘッドを長期間に渡って最適の条件で使用することができ、省資源性に優れるゴルフクラブの提供。【解決手段】ヘッド本体又はバランス調整部に形設され、ゴルフクラブヘッドの三次元重心位置情報を記憶するＩＣチップを収納するＩＣチップ収納部を備えている。【選択図】図１
2011072436.tif 000002
【特許請求の範囲】
【請求項１】
ゴルフクラブヘッドが、ヘッド本体と、前記ヘッド本体に形設されたバランス調整部と、を有し、前記バランス調整部に密度や質量の異なる錘が着脱自在に保持されて前記ゴルフクラブヘッドの三次元重心位置が調整されるゴルフクラブであって、
前記ヘッド本体又は前記バランス調整部に形設され、前記ゴルフクラブヘッドの三次元重心位置情報を記憶するＩＣチップを収納するＩＣチップ収納部を備えたことを特徴とするゴルフクラブ。
【請求項２】
前記ＩＣチップ収納部に収納されたＩＣチップを備えたことを特徴とする請求項１に記載のゴルフクラブ。
【請求項３】
前記バランス調整部が、ヘッド本体のフェース面側に形設されたフェース面凹部と、前記フェース面凹部に覆設されるフェース面プレートと、前記ヘッド本体及び前記フェース面プレートより高い熱伝導率を有する金属で形成され前記フェース面プレートと前記フェース面凹部との間に配設され前記フェース面プレート及び前記ヘッド本体に着脱自在に接着される内側プレートと、前記ヘッド本体のバックフェース面側に形設され前記フェース面凹部に連通する連通孔と、前記連通孔のバックフェース面側に着脱自在に覆設されるカバープレートと、を有するフェース面側バランス調整部を備え、
前記フェース面プレート、前記内側プレート、前記カバープレートの材質、密度、質量の少なくとも１つが前記三次元重心位置情報として前記ＩＣチップに記憶されることを特徴とする請求項１又は２に記載のゴルフクラブ。
【請求項４】
前記バランス調整部が、前記ヘッド本体のバックフェース面側のトウ側及びヒール側にそれぞれ形設されたバランサー収容部と、前記バランサー収容部に着脱自在に覆設されるカバー部と、各々の前記バランサー収容部の位置に対応して前記フェース面凹部のフェース面側に形設された雌螺子収容凹部と、各々の前記雌螺子収容凹部に着脱自在に嵌入される雌螺子部材と、前記ヘッド本体に穿設され各々の前記雌螺子収容凹部と前記バランサー収容部を連結する連結孔と、前記ヘッド本体のバックフェース面側から前記バランサー収容部に収容される１乃至複数のバランサーの挿通孔及び前記連結孔に挿通され前記雌螺子部材に螺着されるバランサー固定具と、前記連結孔の中心位置より上方又は下方にずれた位置で前記ヘッド本体のバックフェース面側に穿設された少なくとも１つの嵌合凹部と、前記嵌合凹部に一端部が挿抜自在に嵌合される重心高さ調整バランサーと、を有するバックフェース面側バランス調整部を備え、
各々の前記バランサー及び／又は前記重心高さ調整バランサーの材質、密度、質量の少なくとも１つと、前記バランサーと前記重心高さ調整バランサーの配置が前記三次元重心位置情報として前記ＩＣチップに記憶されることを特徴とする請求項１乃至３の内いずれか１項に記載のゴルフクラブ。
【請求項５】
ユーザの個人情報と、前記ゴルフクラブヘッドの仕様情報が、前記ＩＣチップに記憶されることを特徴とする請求項１乃至４の内いずれか１項に記載のゴルフクラブ。
【請求項６】
ゴルフクラブヘッドが、ヘッド本体と、前記ヘッド本体に形設され密度や質量の異なる錘が着脱自在に保持されて前記ゴルフクラブヘッドの三次元重心位置を調整するバランス調整部と、を備え、前記バランス調整部で調整される前記ゴルフクラブヘッドの三次元重心位置情報を、前記ヘッド本体又は前記バランス調整部に形設されたＩＣチップ収納部に収納されるＩＣチップに記憶するゴルフクラブのメンテナンス方法であって、
前記バランス調整部で前記ゴルフクラブヘッドの三次元重心位置が調整された時に前記ＩＣチップに記憶された前記三次元重心位置情報を更新する情報更新ステップを備えていることを特徴とするゴルフクラブのメンテナンス方法。
【請求項７】
ユーザが要求する調整後の三次元重心位置をモニタ画面に表示する要求三次元重心位置表示ステップを備えていることを特徴とする請求項６に記載のゴルフクラブのメンテナンス方法。
【請求項８】
前記ＩＣチップに記憶された前記三次元重心位置情報、前記個人情報、前記仕様情報をコンピュータに読取る情報読取りステップと、更新された前記三次元重心位置情報、前記個人情報、前記仕様情報をサーバに送信する情報送信ステップを備えていることを特徴とする請求項６又は７に記載のゴルフクラブのメンテナンス方法。
【発明の詳細な説明】
【技術分野】
【０００１】
本発明は、ユーザの好み等に応じて簡便にカスタマイズできるゴルフクラブ及びその情報を蓄積、管理して容易にメンテナンスを行うことができるゴルフクラブのメンテナンス方法に関するものである。
【背景技術】
【０００２】
従来のゴルフクラブは、飛距離を伸ばすことに主眼が置かれ、ヘッドの材質やロフト角度等の設計を重視するものが主流であり、個々のユーザの好みや癖、体調（年齢）などに応じたカスタマイズ化（調整）については、ほとんど検討されていなかった。
そこで、本願出願人は鋭意研究の結果、（特許文献１）を出願した。
（特許文献１）には、「１乃至複数のバランサーが着脱自在に収容され、ヘッド本体のバックフェース面側のトウ側及びヒール側に着脱自在に覆設されるカバー部を備えた左右一対のバランス調整部を有するゴルフクラブヘッドであって、カバー部が、バランサーの外周を囲繞するバランサー収容凹部と、バランサー収容凹部と仕切られヘッド本体のクラウン側及びソール側に形設され１乃至複数の重心高さ調整バランサーが収容される上下一対の重心高さ調整部と、を備えていることを特徴とするゴルフクラブヘッド。」が開示されている。
【先行技術文献】
【特許文献】
【０００３】
【特許文献１】実用新案登録第３１４８９０９号公報
【発明の概要】
【発明が解決しようとする課題】
【０００４】
（特許文献１）のゴルフクラブヘッドは、プレーヤーの個性に合わせてヘッドの前後方向や左右方向だけでなく、上下方向の重心バランスを最適に調整することにより、容易にボールにバックスピン（逆回転）やトップスピンをかけたりすることができ、ボールにコントロールをつけ易く、汎用性、取扱い性に優れ、幅広い範囲で重心の微調整が可能で、重心調整の自在性に優れるものであった。
しかし、各々のバランサーや重心高さ調整バランサーの比重（材質）や質量を選択し、それらの数や配置の組合せなどにより、重心位置を調整する作業は煩雑であり、最適位置の決定には工数を有するという課題を有していた。特に、上級者やプロ選手の場合、微調整が必要であり、ゴルフクラブの買い換えや改造などを行う度に、重心位置を一から設定するのは手間がかかるため、メンテナンス性の向上が望まれていた。また、使い慣れたパター等を手軽に重心調整できないという課題があった。
【０００５】
本発明は上記課題を解決するもので、ゴルフクラブヘッドのバランス調整作業が容易でメンテナンス性に優れ、部品の損耗が発生し難く、耐久性に優れ、ユーザの好み等に応じてカスタマイズしたゴルフクラブヘッドの仕様情報や三次元重心位置情報などを記憶して、いつでも簡便かつ確実に最適な設定を再現することができ、取扱い性に優れ、１つのゴルフクラブヘッドを長期間に渡って最適の条件で使用することができ、省資源性に優れるゴルフクラブの提供、及びゴルフクラブのユーザの個人情報、ゴルフクラブヘッドの仕様情報や三次元重心位置情報などの各種情報をゴルフクラブのメンテナンス情報として蓄積し、蓄積された情報に基づいてゴルフクラブのカスタマイズを簡便に行うことができ、情報の管理が容易で、メンテナンス性に優れるゴルフクラブのメンテナンス方法の提供を目的とする。
【課題を解決するための手段】
【０００６】
上記課題を解決するために本発明のゴルフクラブ及びそのメンテナンス方法は、以下の構成を有している。
本発明の請求項１に記載のゴルフクラブは、ゴルフクラブヘッドが、ヘッド本体と、前記ヘッド本体に形設されたバランス調整部と、を有し、前記バランス調整部に密度や質量の異なる錘が着脱自在に保持されて前記ゴルフクラブヘッドの三次元重心位置が調整されるゴルフクラブであって、前記ヘッド本体又は前記バランス調整部に形設され、前記ゴルフクラブヘッドの三次元重心位置情報を記憶するＩＣチップを収納するＩＣチップ収納部を備えている構成を有している。
この構成により、以下のような作用を有する。
（１）ヘッド本体又はバランス調整部に、ゴルフクラブヘッドの三次元重心位置情報を記憶するＩＣチップを収納するＩＣチップ収納部を有するので、ゴルフクラブヘッドの重心位置がバランス調整部で調整された際に、その三次元重心位置情報をＩＣチップに記憶させてＩＣチップ収納部に収納することにより、ゴルフクラブヘッドと共に管理することができ、ＩＣチップに記憶された三次元重心位置情報を基に重心位置の微調整を行うことやメンテナンス等のために分解した後に、ＩＣチップに記憶された三次元重心位置情報に基づいて速やかに元の重心位置に設定することができ、重心調整の作業性、メンテナンス性に優れる。
（２）ゴルフクラブヘッドのヘッド本体又はヘッド本体に形設されたバランス調整部にＩＣチップが収納されるＩＣチップ収納部を有することにより、ゴルフクラブヘッドとＩＣチップに記憶される三次元重心位置情報を一対一に対応させて管理することができ、シャフトを取り外したり、交換したりしても、三次元重心位置情報が失われることがなく、ゴルフクラブヘッドを廃棄するまで必要に応じていつでもＩＣチップから三次元重心位置情報を取り出して有効に利用することができ、データの取扱い性、有効利用性、データ管理の確実性に優れる。
（３）ＩＣチップがゴルフクラブヘッドのＩＣチップ収納部に収納され、該ゴルフクラブヘッドと常に一体にあるので、ＩＣチップを紛失する等の事故を防止できる。
【０００７】
ここで、バランス調整部は、密度や質量の異なる錘を着脱することにより、ゴルフクラブヘッドの三次元重心位置を調整することができるものであればよい。
ＩＣチップは、データの読込み及び書込みができるものであればよい。特に、無線でデータの読書きが可能な非接触式のＩＣタグは、リーダライタと通信可能な距離にあるだけでデータの読書きを行うことができ、分解したり、リーダライタに接触させたりする必要がなく、使用性に優れ、好ましい。尚、ＩＣチップ収納部の位置は、リーダライタと通信可能な位置であればよいが、表面に露出せず、ゴルフクラブの持ち運び時や使用時に外部から衝撃を受け難い位置を選択し、ＩＣチップの大きさ等に合わせて凹所等で形設されることが好ましい。
ＩＣチップには、ヘッド本体の製造番号，質量，重心位置，ロフト角度，ソール角度、シャフトの質量，長さ等を記憶させることができる。
また、ヘッド本体（特にＩＣチップ収納部）には製造番号を刻設することが好ましい。ＩＣチップから読取った各データをコンピュータなどに保存、管理しておけば、ＩＣチップが破損しても、製造番号を基に、各々のゴルフクラブヘッドに関するデータを取り出して利用することができ、改めて各部の寸法，角度，質量等を測定したり、重心位置を設定し直したりする必要がなく、データ管理の確実性、信頼性に優れる。
【０００８】
請求項２に記載の発明は、請求項１に記載のゴルフクラブであって、前記ＩＣチップ収納部に収納されたＩＣチップを備えた構成を有している。
この構成により、請求項１の作用に加え、以下のような作用を有する。
（１）ＩＣチップ収納部に収納されたＩＣチップを有するので、ユーザの個人情報とゴルフクラブヘッドの仕様情報を関連付けして１つのＩＣチップに記憶させ、ゴルフクラブヘッドと共に簡便に管理することができ、必要に応じて記憶された各種情報（データ）を読取って、コンピュータなどで保存、管理したり、それらの情報を更新して、ＩＣチップに最新の情報として書込んで記憶させたりして、ユーザやゴルフクラブヘッドに関する情報を漏れなく確実に管理することができ、データ管理の確実性、信頼性に優れる。
（２）ＩＣチップ収納部に収納されたＩＣチップに、ゴルフクラブヘッドの売買や譲渡の記録、ユーザの履歴等を記憶させることができるので、ゴルフクラブヘッドの真贋（正規品か否か）や正当に取引されたものかどうか（盗品か否か）を簡便かつ確実に判別することができ、ゴルフクラブヘッドの流通管理の信頼性に優れる。
【０００９】
請求項３に記載の発明は、請求項１又は２に記載のゴルフクラブであって、前記バランス調整部が、ヘッド本体のフェース面側に形設されたフェース面凹部と、前記フェース面凹部に覆設されるフェース面プレートと、前記ヘッド本体及び前記フェース面プレートより高い熱伝導率を有する金属で形成され前記フェース面プレートと前記フェース面凹部との間に配設され前記フェース面プレート及び前記ヘッド本体に着脱自在に接着される内側プレートと、前記ヘッド本体のバックフェース面側に形設され前記フェース面凹部に連通する連通孔と、前記連通孔のバックフェース面側に着脱自在に覆設されるカバープレートと、を有するフェース面側バランス調整部を備え、前記フェース面プレート、前記内側プレート、前記カバープレートの材質、密度、質量の少なくとも１つが前記三次元重心位置情報として前記ＩＣチップに記憶される構成を有している。
この構成により、請求項１又は２の作用に加え、以下のような作用を有する。
（１）バランス調整部のフェース面側バランス調整部が、ヘッド本体のフェース面側に形設されたフェース面凹部と、フェース面凹部に覆設されるフェース面プレートを有するので、フェース面プレートの材質（質量）を選択して交換するだけで、ヘッド本体の前後方向の重心位置を調整することができると共に、フェース面プレートの硬さによって、ボールへのタッチの感触を調整し、新しいユーザの好み等に対応することができ、重心位置調整の作業性、ヘッドの設計自在性に優れる。
（２）フェース面側バランス調整部が、フェース面プレートとフェース面凹部との間に配設されフェース面プレート及びヘッド本体に着脱自在に接着される内側プレートを有するので、内側プレートを挟んでフェース面プレートとヘッド本体を確実に接着することができ、フェース面プレートの固定の確実性に優れる。
（３）フェース面側バランス調整部が、ヘッド本体のバックフェース面側に形設されフェース面凹部に連通する連通孔を有することにより、バックフェース面側から連通孔を通して内側プレートを押圧して、ヘッド本体からフェース面プレートと一緒に引き剥がすことができるので、フェース面プレートを傷付けたり、変形させたりすることがなく、フェース面プレートを繰り返し使用することができ、省資源性に優れる。
（４）ヘッド本体のバックフェース面側にフェース面凹部に連通する連通孔が形設されていることにより、連通孔から内側プレートを直接加熱して接着層を軟化させ、内側プレートとヘッド本体やフェース面プレートを小さな力で簡便に剥離することができ、内側プレート及びフェース面プレートのメンテナンス性、剥離作業の省力性に優れる。
（５）内側プレートがヘッド本体及びフェース面プレートより高い熱伝導率を有する金属で形成されていることにより、内側プレート全体を短時間で効率的に加熱して、内側プレートの表裏の接着層を確実に軟化させ、ヘッド本体及びフェース面プレートから簡便に剥離させることができ、内側プレートやフェース面プレートに負荷がかかることがなく、変形を防止して、繰り返し使用することができ、剥離の作業性、省資源性に優れる。
（６）連通孔のバックフェース面側に着脱自在に覆設されるカバープレートを有することにより、プレー中に連通孔から雨水などが浸入することを防止できると共に、フェース面プレートの交換時にはカバープレートを取り外し、連通孔を開放して内側プレートを露出させ、内側プレートの加熱や押圧を行って交換作業を行うことができ、メンテナンスの作業性に優れる。
（７）着脱自在なカバープレートの材質（質量）を選択して交換することにより、ゴルフクラブヘッドの前後方向の重心位置を調整することができ、フェース面プレートの材質（質量）との組合せで、前後方向の重心位置の調整の幅を広げることが可能で、ヘッド本体の設計及び重心位置調整の自在性に優れる。
（８）ユーザの好みに応じて、カバープレートの材質を選択することやカバープレートへの着色、装飾、彫刻等を施すことができ、装飾性に優れる。
（９）フェース面プレート、内側プレート、カバープレートの材質、密度、質量の少なくとも１つが三次元重心位置情報としてＩＣチップに記憶されることにより、その情報（データ）に基づいて、フェース面プレート、内側プレート、カバープレートの交換による重心位置の変化量を簡便かつ確実に求めることができ、データ管理の信頼性、メンテナンス性に優れる。
【００１０】
ここで、フェース面側バランス調整部の錘として作用するフェース面プレート、内側プレート、カバープレートの形状、大きさ、厚さ等は適宜、選択することができる。フェース面プレートの材質としては、タングステン、ステンレス、チタン等の各種金属のほか、合成ゴム等も使用することができる。内側プレートの材質は、ヘッド本体及びフェース面プレートより高い熱伝導率を有する金属であればよいが、アルミニウムが特に好ましい。カバープレートの材質としては、タングステン、ステンレス、チタン、金、白金等の各種金属、ガラス、合成樹脂等の中からプレー用とディスプレイ用を適宜、使い分けることができる。カバープレートの表面には、ユーザの名前などを彫ったり、様々な色や模様等で装飾を施したりできる。特に、プライベート用やディスプレイ用の場合、貴金属や宝石などで装飾することができる。
フェース面プレートと内側プレート、内側プレートとヘッド本体とは、接着剤や両面テープ等で接着することができる。特に、熱可塑性の接着剤を用いた場合、加熱によって接着層を軟化させて簡便に剥離することができ、使用性に優れる。
カバープレートとヘッド本体とは、着脱自在に固定できればよいが、螺子止めの場合、着脱作業が容易で組み立て及び分解の作業性に優れると共に、固定の確実性、安定性に優れ、カバープレートを紛失するおそれがなく、好ましい。
【００１１】
請求項４に記載の発明は、請求項１乃至３の内いずれか１項に記載のゴルフクラブであって、前記バランス調整部が、前記ヘッド本体のバックフェース面側のトウ側及びヒール側にそれぞれ形設されたバランサー収容部と、前記バランサー収容部に着脱自在に覆設されるカバー部と、各々の前記バランサー収容部の位置に対応して前記フェース面凹部のフェース面側に形設された雌螺子収容凹部と、各々の前記雌螺子収容凹部に着脱自在に嵌入される雌螺子部材と、前記ヘッド本体に穿設され各々の前記雌螺子収容凹部と前記バランサー収容部を連結する連結孔と、前記ヘッド本体のバックフェース面側から前記バランサー収容部に収容される１乃至複数のバランサーの挿通孔及び前記連結孔に挿通され前記雌螺子部材に螺着されるバランサー固定具と、前記連結孔の中心位置より上方又は下方にずれた位置で前記ヘッド本体のバックフェース面側に穿設された少なくとも１つの嵌合凹部と、前記嵌合凹部に一端部が挿抜自在に嵌合される重心高さ調整バランサーと、を有するバックフェース面側バランス調整部を備え、各々の前記バランサー及び／又は前記重心高さ調整バランサーの材質、密度、質量の少なくとも１つと、前記バランサーと前記重心高さ調整バランサーの配置が前記三次元重心位置情報として前記ＩＣチップに記憶される構成を有している。
この構成により、請求項１乃至３の内いずれか１項の作用に加え、以下のような作用を有する。
（１）バランス調整部のバックフェース面側バランス調整部が、ヘッド本体のバックフェース面側のトウ側及びヒール側にそれぞれ形設されたバランサー収容部を有するので、各々のバランサー収容部に収容されるバランサーの数、各々のバランサーの材質（質量）、配置の組合せを選択することにより、ヘッド本体の形状によらず、ユーザの癖や好み等に応じて、幅広い範囲で簡便にヘッドの左右方向及び前後方向の重心位置を細かく調整して最適位置を選択することができ、重心設計の自在性、汎用性に優れる。
（２）バックフェース面側バランス調整部が、バランサー収容部に着脱自在に覆設されるカバー部を有するので、バランサーや重心高さ調整バランサーを風雨や外力から保護して破損や紛失などを防ぐことができ、使用性に優れる。
（３）バックフェース面側バランス調整部が、各々のバランサー収容部の位置に対応してフェース面凹部のフェース面側に形設された雌螺子収容凹部と、各々の雌螺子収容凹部に着脱自在に嵌入される雌螺子部材と、ヘッド本体に穿設され各々の雌螺子収容凹部とバランサー収容部を連結する連結孔を有するので、ヘッド本体のバックフェース面側からバランサー収容部に収容される１乃至複数のバランサーの挿通孔及び連結孔にバランサー固定具を挿通して、雌螺子部材に螺着するだけでバランサーを確実に固定することができ、バランサーの固定安定性に優れ、ヘッド本体に雌螺子を形設する必要がなく、加工性に優れると共に、雌螺子部材やバランサー固定具が摩耗、変形、破損した場合には、雌螺子部材やバランサー固定具のみを交換するだけでよく、ヘッド本体を長期間使用することができ、省資源性、環境保護性に優れる。
（４）バックフェース面側バランス調整部が、連結孔の中心位置より上方又は下方にずれた位置でヘッド本体のバックフェース面側に穿設された少なくとも１つの嵌合凹部と、嵌合凹部に一端部が挿抜自在に嵌合される重心高さ調整バランサーを有するので、各々の嵌合凹部に嵌合される重心高さ調整バランサーの材質（質量）、配置の組合せを選択することにより、バランサーによるヘッドの前後方向及び左右方向の重心位置の調整に加え、重心高さ調整バランサーによるヘッドの上下方向の重心位置の調整を行うことができ、ヘッドの三次元重心位置によるカスタマイズを簡便に行って、ユーザの癖や好み等に確実に対応することができ、重心調整の自在性、汎用性に優れる。
（５）各々のバランサーや重心高さ調整バランサーの材質、密度、質量の少なくとも１つと、バランサーや重心高さ調整バランサーの配置が三次元重心位置情報としてＩＣチップに記憶されることにより、その情報（データ）に基づいて、バランサーや重心高さ調整バランサーの交換による重心位置の変化量を簡便かつ確実に求めることができ、データ管理の信頼性、メンテナンス性に優れる。
（６）バランサーや重心高さ調整バランサーでヘッド全体の重心をフェース面側やソール面側が重くなるようにした場合、フェース面がボールの芯の下（赤道上の重心より低い位置）に当たり易くなり、ボールのバックスピン回転を増やすことができ、ボールにコントロールをつけ易く、ショートクラブ用或いは短距離又は速いグリーンでのパッティング用のクラブヘッドとしての使用性に優れる。
（７）バランサーや重心高さ調整バランサーでヘッド全体の重心をクラウン側やバックフェース面が重くなるようにした場合、フェース面がボールの芯（赤道上の重心付近）又は芯よりやや高い位置に当たり易くなり、インパクト時のロスを減らして、飛距離を伸ばすことができる。
【００１２】
ここで、ゴルフクラブヘッドの基本的な重心の位置は、ヘッド本体の形状や寸法によって決まるが、ゴルフクラブに要求される飛距離、風やグリーンの状態、或いはユーザの癖や好み、年齢、体力、体調等に応じて、バックフェース面側バランス調整部の錘であるバランサーや重心高さ調整バランサーの材質、数、配置の組合せなどにより、簡便に調整することができる。
よって、各々のバランサーや重心高さ調整バランサーの密度（比重、材質）や質量は、適宜、選択することができ、全て同じである必要はない。
バランサーの外形は、円形状，矩形状，多角形状などの形状やこれらを組合せた形状などに形成され、中央部にバランサー固定具の軸部を挿通するための挿通孔が穿設される。
また、重心高さ調整バランサーは、円柱状や角柱状などの形状に形成される。
バランサーや重心高さ調整バランサーとしては、タングステン，真鍮，鉄，銅，金などの比重の大きな金属やマグネシウム，アルミニウム，チタンなどの比重の小さな金属などを主成分として形成されるものの他に、金属よりも比重の小さな（軽量な）ＡＢＳ樹脂やＰＣ樹脂などの合成樹脂系や合成ゴム系などの材料で形成されるものを組合せて使用することができる。
【００１３】
重心高さ調整バランサーは、一端部が嵌合凹部に嵌合されるが、カバー部の内側に重心高さ調整バランサーの他端部に当接する当接部又は重心高さ調整バランサーの他端部が嵌合されるカバー側嵌合部を形設した場合、重心高さ調整バランサーの両端部を確実に保持することができ、固定安定性に優れる。
バランサーに磁力を持たせた場合、複数のバランサーを一体に取り扱うことができ、着脱作業が容易で、重心の調整を簡便に行うことができるだけでなく、微妙な振動も抑えることが可能となり、使用性に優れる。尚、全てのバランサーに磁力を持たせる必要はなく、一部のみに磁力を持たせるようにして、磁力を持たないバランサーと組合せて使用してもよい。バランサーに磁力を持たせる場合には、バランサーを覆うカバー部を防磁性の材料で形成し、カバー部の外にＩＣチップ収納部を形設することにより、ＩＣチップを保護することができる。
【００１４】
バランス調整部（フェース面側バランス調整部及びバックフェース面側バランス調整部）で調整する総調整質量は、適宜、選択することができるが、ゴルフクラブヘッドの総質量に対して０．５％〜５０％の割合で調整可能とすることが好ましい。ゴルフクラブヘッドの総質量に対するバランス調整部の総調整質量の割合が０．５％よりも少なくなるにつれ、バランス調整の効果が不十分となる傾向があり、５０％よりも多くなるにつれ、ヘッド本体単体の質量が軽くなり過ぎ、バランサー等の錘を付加しない場合のヘッドスピードが速くなり過ぎて、ブレーキ効果が低下し易くなる傾向があり、いずれも好ましくない。
但し、ヘッド本体を合成樹脂等の軽量な材質で形成することにより、ゴルフクラブヘッドの総質量に対するバランサー調整部の総調整質量の割合を最大８０％程度まで拡大することが可能となる。
【００１５】
カバー部の材質としては、マグネシウム，チタン，ステンレス等の金属や合成樹脂等を用いることができる。ポリカーボネート等のエンジニアリング樹脂を用いた場合、軽量で機械的強度に優れ、外力などによる破損を防止することができる。尚、カバー部の材質を選択することによっても、ゴルフクラブヘッドの総質量を調整することができるので、カバー部の材質や質量も三次元重心位置情報としてＩＣチップに記憶する。
バランサー収容部は、カバー部で覆うことにより、内部にバランサーや重心高さ調整バランサーを収容できるものであればよいが、ヘッド本体のバックフェース面側のトウ側及びヒール側の角部に切り欠き状に形成するものが好ましい。バランサー収容部の加工が容易で量産性に優れると共に、カバー部の開口部及び一側部をヘッド本体に当接させて強固に固定することができ、カバー部の固定安定性に優れるためである。尚、ヘッド本体に当接（対向）するカバー部の一側部にＩＣチップを固定するためのＩＣチップ固定凹部を形設した場合、ＩＣチップがヘッド本体と干渉することがなく、また、ＩＣチップをカバー部の側壁とヘッド本体との間に挟むようにして保護して、ボールを打つ際の衝撃からもＩＣチップを守ることができ、データ保護の信頼性に優れる。
【００１６】
請求項５に記載の発明は、請求項１乃至４の内いずれか１項に記載のゴルフクラブであって、ユーザの個人情報と、前記ゴルフクラブヘッドの仕様情報が、前記ＩＣチップに記憶される構成を有している。
この構成により、請求項１乃至４の内いずれか１項の作用に加え、以下のような作用を有する。
（１）ユーザの個人情報とゴルフクラブヘッドの仕様情報を１つのＩＣチップに記憶することにより、ユーザの個人情報とゴルフクラブヘッドの仕様情報を関連付けして簡便に管理することができ、必要に応じて記憶された各種情報（データ）を読取って、コンピュータなどで保存、管理したり、それらの情報を更新して、ＩＣチップに最新の情報として書込んで記憶させたりして、ユーザやゴルフクラブヘッドに関する情報を漏れなく確実に管理することができ、データ管理の確実性、信頼性に優れる。
【００１７】
ここで、ユーザの個人情報としては、氏名やユーザ登録番号等である。ゴルフクラブヘッドの仕様情報としては、同じゴルフクラブヘッドを製造したり、ゴルフクラブヘッド全体の三次元重心位置を求めたりするのに必要な情報（データ）が記憶されていればよい。具体的には、ヘッド本体の製造番号、ライ角度、ロフト角度、ソール形状や角度、ヘッド本体の質量と初期重心位置等である。
ヘッド本体の質量と初期重心位置が分かっていれば、別途記憶された三次元重心位置情報に基づいて、バランス調整部で調整した後のゴルフクラブヘッド全体の質量と三次元重心位置を簡便かつ確実に求めることができる。
尚、ＩＣチップには、シャフトやグリップ等の材質や質量等も記憶させることができ、これによりゴルフクラブ全体の質量や重心バランスを求めることができる。
【００１８】
本発明の請求項６に記載のゴルフクラブのメンテナンス方法は、ゴルフクラブヘッドが、ヘッド本体と、前記ヘッド本体に形設され密度や質量の異なる錘が着脱自在に保持されて前記ゴルフクラブヘッドの三次元重心位置を調整するバランス調整部と、を備え、前記バランス調整部で調整される前記ゴルフクラブヘッドの三次元重心位置情報を、前記ヘッド本体又は前記バランス調整部に形設されたＩＣチップ収納部に収納されるＩＣチップに記憶するゴルフクラブのメンテナンス方法であって、前記バランス調整部で前記ゴルフクラブヘッドの三次元重心位置が調整された時に前記ＩＣチップに記憶された前記三次元重心位置情報を更新する情報更新ステップを備えている構成を有している。
この構成により、以下のような作用を有する。
（１）バランス調整部でゴルフクラブヘッドの三次元重心位置が調整された時にＩＣチップに記憶された三次元重心位置情報を更新する情報更新ステップを有するので、ゴルフクラブヘッドの三次元重心位置情報をゴルフクラブヘッドと共に常に最新の状態で管理することができ、ゴルフクラブヘッドのメンテナンス時にバランサーや重心高さ調整バランサーを紛失したり、配置が分からなくなったりした場合でも、三次元重心位置情報に基づいて元の重心位置を速やかに再現することができ、重心調整の作業性、メンテナンス性に優れる。
【００１９】
ここで、ユーザは必要に応じてフェース面プレートやカバープレートの材質、バランス調整部のバランサーの材質，数，配置及び重心高さ調整バランサーの材質，配置等を選択、変更することにより、ゴルフクラブヘッド全体の質量と三次元重心位置を調整することができる。これらの組合せ（設定）を少しずつ変えながら、素振りや試し打ちなどを繰り返し、ユーザが自分に最適な三次元重心位置を決定し、その結果を三次元重心位置情報（データ）としてＩＣチップに記憶させる。
尚、リーダライタとコンピュータとの間はＵＳＢ（Ｕｎｉｖｅｒｓａｌ  Ｓｅｒｉａｌ  Ｂｕｓ）ケーブル等を用いて接続することにより、相互にデータの転送を行うことができる。
バランス調整やＩＣチップに記憶された三次元重心位置情報の更新等はゴルフクラブを購入した販売店やメンテナンスショップ等で行うことができ、ＩＣチップに記憶された各種情報は各々の販売店などでユーザ情報（顧客情報）と共に管理することができる。
ゴルフクラブヘッドの形態としては様々なものがあるが、特にパターが好適に用いられる。
【００２０】
請求項７に記載の発明は、請求項６に記載のゴルフクラブのメンテナンス方法であって、ユーザが要求する調整後の三次元重心位置をモニタ画面に表示する要求三次元重心位置表示ステップを備えている構成を有している。
この構成により、請求項６の作用に加え、以下のような作用を有する。
（１）ユーザが要求する調整後の三次元重心位置をモニタ画面に表示する要求三次元重心位置表示ステップを有することにより、ゴルフクラブヘッドの三次元重心位置を目で見て確認しながら重心位置の調整を行うことができるので、重心位置の調整量や調整方向を直感的に把握し易く、重心位置の調整作業が容易で、メンテナンス性に優れる。
【００２１】
ここで、三次元重心位置を表示するモニタは、前述のコンピュータに接続されており、リーダライタを用いてＩＣチップから読取った三次元重心位置情報やゴルフクラブヘッドの仕様情報などを文字や画像で表示することができる。特に、ゴルフクラブヘッドの仕様情報に基づいてゴルフクラブヘッドの形状を二次元や三次元の画像で表示し、その上に調整前や調整後の三次元重心位置を輝点などで表示した場合、三次元重心位置を視覚的に捉え易く、使用性に優れる。
尚、ユーザやメンテナンスを行うインストラクターが、キーボードやマウスなどの入力手段からユーザが要求する三次元重心位置を入力（指示）する三次元重心調整位置指示ステップと、コンピュータにより、三次元重心調整位置指示ステップで入力された調整後の三次元重心位置と、現在（調整前）の三次元重心位置又はベースとなるデザインの三次元重心位置との差から、三次元重心位置の調整量を算出する重心位置調整量算出ステップと、重心位置調整量算出ステップで算出した調整量に基づいて追加若しくは削減するバランサーや重心高さ調整バランサーの質量や位置を指示する重心調整量指示ステップと、を備えた場合、短時間で簡便に希望の重心位置に調整することができ、重心位置調整の作業性に優れる。
【００２２】
ＩＣチップに記憶されたゴルフクラブのユーザの個人情報やゴルフクラブヘッドの仕様情報も、情報更新ステップにおいて更新することができる。
情報更新ステップにおいて、ＩＣチップに記憶されたゴルフクラブのユーザの個人情報と、ゴルフクラブヘッドの仕様情報が更新されることにより、ユーザの個人情報とゴルフクラブヘッドの仕様情報を関連付けして簡便に管理することができ、必要に応じて記憶された各種情報（データ）を読取って、コンピュータなどで保存、管理したり、それらの情報を更新して、ＩＣチップに最新の情報を書込んで記憶させたりして、情報を漏れなく確実に管理することができ、データ管理が容易で、メンテナンス性に優れる。
【００２３】
ユーザの個人情報は、ゴルフクラブの購入時やユーザ登録時などに最初にＩＣチップ若しくはインターネットを通じて指定したサーバに記憶され、ゴルフクラブの売買や譲渡などを行った際に、追加或いは更新される。過去のユーザの個人情報を消去せずに残しておけば、簡便に購入履歴を辿ることができ、盗難による転売などを防止できる。
また、ゴルフクラブヘッドの仕様情報は、ヘッド本体の製造時に、初期値がＩＣチップに記憶され、改造や調整によって各部の寸法や形状などの変更を行った際に、追加或いは更新される。
尚、ユーザが変わった時にＩＣチップやサーバに記憶された個人情報を更新することにより、ゴルフクラブの売買や譲渡などが行われても、常に正確なユーザ情報を把握してその他の情報（データ）と共に管理することができ、情報管理の正確性、信頼性に優れる。
また、ゴルフクラブヘッドのヘッド本体に加工（改造）を加える等してゴルフクラブヘッドの仕様を変更した時にＩＣチップやサーバに記憶された仕様情報を更新することにより、ヘッド本体の仕様を最新の状態で正確に管理することができ、ヘッド本体の仕様に基づいて重心位置などの調整を行うことが可能で、重心調整作業の確実性、信頼性に優れる。
【００２４】
請求項８に記載の発明は、請求項６又は７に記載のゴルフクラブのメンテナンス方法であって、前記ＩＣチップに記憶された前記三次元重心位置情報、前記個人情報、前記仕様情報をコンピュータに読取る情報読取りステップと、更新された前記三次元重心位置情報、前記個人情報、前記仕様情報をサーバに送信する情報送信ステップを備えている構成を有している。
この構成により、請求項６又は７の作用に加え、以下のような作用を有する。
（１）ＩＣチップに記憶された三次元重心位置情報、個人情報、仕様情報をコンピュータに読取る情報読取りステップを有するので、各々のユーザが所有するゴルフクラブの各種情報を世界各地の販売店などに設置したコンピュータ又は指定されたインストラクターのコンピュータにより、直接、若しくはインターネットを通じて読取って、各種情報の確認やゴルフクラブのメンテナンス等を行うことができ、メンテナンス性、顧客サービスの信頼性に優れる。
（２）更新された三次元重心位置情報、個人情報、仕様情報をサーバに送信する情報送信ステップを有するので、世界各地の販売店などに設置したコンピュータ等により、各々のユーザが所有するゴルフクラブの各種最新情報（更新情報）をユーザ情報と共にサーバに送信して、サーバで一元管理することができ、サーバに接続されたコンピュータがあれば、いつでもどこでもサーバから必要な情報を取出して、各種情報の確認や更新、ゴルフクラブのメンテナンス等を行うことができ、メンテナンスの作業性、顧客サービスの汎用性、データ管理の信頼性に優れる。
ここで、各々の販売店に設置されるコンピュータとそれを管理するサーバとは、各種通信回線で接続することができ、インターネットを通じて各種データの送受信を行うことができる。
【発明の効果】
【００２５】
以上のように、本発明のゴルフクラブ及びそのメンテナンス方法によれば、以下のような有利な効果が得られる。
請求項１に記載の発明によれば、以下のような効果を有する。
（１）ゴルフクラブヘッドとＩＣチップに記憶される三次元重心位置情報を一対一に対応させて、確実に管理することができ、シャフトを取り外したり、交換したりしても、三次元重心位置情報が失われることがなく、ゴルフクラブヘッドを廃棄するまで必要に応じていつでもＩＣチップから三次元重心位置情報を取り出して有効に利用することができるデータの取扱い性、有効利用性、データ管理の確実性に優れたゴルフクラブを提供することができる。
【００２６】
請求項２に記載の発明によれば、請求項１の効果に加え、以下のような効果を有する。
（１）ユーザの個人情報とゴルフクラブヘッドの仕様情報を関連付けして１つのＩＣチップに記憶させ、ゴルフクラブヘッドと共に簡便に管理することができ、必要に応じて記憶された各種情報（データ）を読取って、コンピュータなどで保存、管理したり、それらの情報を更新して、ＩＣチップに最新の情報として書込んで記憶させたりして、ユーザやゴルフクラブヘッドに関する情報を漏れなく確実に管理することができるデータ管理の確実性、信頼性に優れたゴルフクラブを提供することができる。
【００２７】
請求項３に記載の発明によれば、請求項１又は２の効果に加え、以下のような効果を有する。
（１）フェース面プレート、内側プレート、カバープレートの材質や質量の組合せにより、ゴルフクラブヘッドの前後方向の重心位置の調整の幅を広げることができ、ヘッド本体の設計及び重心位置調整の自在性に優れると共に、それらの情報（データ）を三次元重心位置情報としてＩＣチップに記憶することにより、フェース面プレート、内側プレート、カバープレートの交換による重心位置の変化量を簡便かつ確実に求めることができるデータ管理の信頼性、メンテナンス性に優れたゴルフクラブを提供することができる。
【００２８】
請求項４に記載の発明によれば、請求項１乃至３の内いずれか１項の効果に加え、以下のような効果を有する。
（１）三次元重心位置情報としてＩＣチップに記憶される、各々のバランサーや重心高さ調整バランサーの質量や配置などのデータに基づいて、バランサーや重心高さ調整バランサーの交換による重心位置の変化量を簡便かつ確実に求めることができるデータ管理の信頼性、メンテナンス性に優れたゴルフクラブを提供することができる。
【００２９】
請求項５に記載の発明によれば、請求項１乃至４の内いずれか１項の効果に加え、以下のような効果を有する。
（１）ユーザの個人情報とゴルフクラブヘッドの仕様情報を関連付けして簡便に管理することができ、必要に応じて記憶された各種情報（データ）を読取って、コンピュータなどで保存、管理したり、それらの情報を更新して、ＩＣチップに最新の情報として書込んで記憶させたりして、ユーザやゴルフクラブヘッドに関する情報を漏れなく確実に管理することができるデータ管理の確実性、信頼性に優れたゴルフクラブを提供することができる。
【００３０】
請求項６に記載の発明によれば、以下のような効果を有する。
（１）ゴルフクラブヘッドの三次元重心位置情報をゴルフクラブヘッドと共に常に最新の状態で管理することができ、ゴルフクラブヘッドのメンテナンス時にバランサーや重心高さ調整バランサーを紛失したり、配置が分からなくなったりした場合でも、三次元重心位置情報に基づいて元の重心位置を再現し、直ちに使用することができる重心調整の作業性、メンテナンス性に優れたゴルフクラブのメンテナンス方法を提供することができる。
【００３１】
請求項６に記載の発明によれば、請求項６の効果に加え、以下のような効果を有する。
（１）ユーザが要求する調整後の三次元重心位置をモニタ画面に表示することにより、ゴルフクラブヘッドの三次元重心位置を目で見て確認しながら重心位置の調整を行うことができ、重心位置の調整量や調整方向を直感的に把握し易く、重心位置の調整作業が容易で、メンテナンス性に優れたゴルフクラブのメンテナンス方法を提供することができる。
【００３２】
請求項８に記載の発明によれば、請求項６又は７の効果に加え、以下のような効果を有する。
（１）世界各地の販売店などに設置したコンピュータにより、各々のユーザが所有するゴルフクラブの情報を読取って確認することや、ゴルフクラブ及びユーザに関する各種最新情報をサーバに送信して一元管理することができ、サーバに接続されたコンピュータがあれば、いつでもどこでもサーバから必要な情報を取り出して、各種情報の確認や更新、ゴルフクラブのメンテナンス等を行うことができるメンテナンス性、顧客サービスの汎用性、データ管理の信頼性に優れたゴルフクラブのメンテナンス方法を提供することができる。
【図面の簡単な説明】
【００３３】
【図１】実施の形態１のゴルフクラブに用いるゴルフクラブヘッドの上面側の斜視図
【図２】実施の形態１のゴルフクラブに用いるゴルフクラブヘッドの底面側の斜視図
【図３】実施の形態１のゴルフクラブに用いるゴルフクラブヘッドの平面図
【図４】実施の形態１のゴルフクラブに用いるゴルフクラブヘッドの正面図
【図５】実施の形態１のゴルフクラブに用いるゴルフクラブヘッドの分解斜視図
【図６】図３のＡ−Ａ線矢視断面図
【図７】図３のＢ−Ｂ線矢視断面図
【図８】図３のＣ−Ｃ線矢視断面図
【図９】図３のＤ−Ｄ線矢視断面図
【図１０】図３のＥ−Ｅ線矢視断面図
【図１１】実施の形態１のゴルフクラブのメンテナンス方法に用いるメンテナンスシステムの構成を示す模式図
【図１２】実施の形態１のゴルフクラブのメンテナンス方法に用いるメンテナンスシステムのコンピュータの装置ブロック図
【図１３】実施の形態１のゴルフクラブのメンテナンス方法に用いるメンテナンスシステムの中央処理装置の機能実現手段を示す機能ブロック図
【図１４】実施の形態１のゴルフクラブのメンテナンス方法に用いるメンテナンスシステムの中央処理装置の動作を示すフローチャート
【発明を実施するための形態】
【００３４】
（実施の形態１）
本発明の実施の形態１のゴルフクラブに用いるゴルフクラブヘッドについて、以下図面を用いて説明する。
図１は実施の形態１のゴルフクラブに用いるゴルフクラブヘッドの上面側の斜視図であり、図２は実施の形態１のゴルフクラブに用いるゴルフクラブヘッドの底面側の斜視図であり、図３は実施の形態１のゴルフクラブに用いるゴルフクラブヘッドの平面図であり、図４は実施の形態１のゴルフクラブに用いるゴルフクラブヘッドの正面図である。
図１中、１は実施の形態１のゴルフクラブに用いるパター用のゴルフクラブヘッド、２はゴルフクラブヘッド１のヘッド本体、２ａはゴルフクラブヘッド１のフェース面、２ｂはゴルフクラブヘッド１のバックフェース面、２ｃはゴルフクラブヘッド１のクラウン２ｄ側に形成されたシャフト差込孔、５はヘッド本体２のバックフェース面２ｂ側のトウ側及びヒール側の角部に形設された切り欠き状のバランサー収容部４にカバー部６が着脱自在に覆設されて形成されたバランス調整部の１つとしての左右一対のバックフェース面側バランス調整部、８はヘッド本体２にカバー部６を固定するためのカバー部固定螺子である。
【００３５】
図２中、３はゴルフクラブヘッド１のソール、３ａはヘッド本体２のソール３のトウ側とヒール側の間のセンター部に形成された凹部、３ｂは凹部３ａにおいてヘッド本体２のフェース面２ａ側が深くなるようにバックフェース面２ｂ側から彫り込まれて形成された傾斜部である。
凹部３ａの深さは、ゴルフクラブの種類や番手、或いはユーザの好みや癖等に応じて選択することができるが、２ｍｍ〜６ｍｍに形成した。凹部３ａの深さが２ｍｍよりも浅くなるにつれ、ヘッド本体２の重心位置が低くなり、バックスピンでボールにブレーキがかかり易くなって、ロングやミドルの距離のパッティングに対応し難くなる傾向があり、６ｍｍより大きくなるにつれ、ヘッド本体２の重心位置が高くなり、トップスピンでボールのスピードが加速され易くなって、コントロール性が低下し、ショートのパッティングに対応し難くなる傾向があることがわかったためである。
図３及び図４中、５ａはゴルフクラブヘッド１のヘッド本体２のフェース面２ａ側に形設されたフェース面凹部４ａに後述するフェース面プレート１２が着脱自在に覆設されて形成されたバランス調整部の１つとしてのフェース面側バランス調整部である。
【００３６】
次に、ゴルフクラブヘッドの各部の詳細について説明する。
図５は実施の形態１のゴルフクラブに用いるゴルフクラブヘッドの分解斜視図、図６は図３のＡ−Ａ線矢視断面図、図７は図３のＢ−Ｂ線矢視断面図、図８は図３のＣ−Ｃ線矢視断面図、図９は図３のＤ−Ｄ線矢視断面図、図１０は図３のＥ−Ｅ線矢視断面図である。
図５及び図６中、４ｂはバランサー収容部４の位置に対応してフェース面凹部４ａのフェース面２ａ側に形設され雌螺子部材１１が着脱自在に嵌入される雌螺子収容凹部（図６）、４ｃは雌螺子部材１１の雌螺子部１１ａが挿通される雌螺子収容凹部４ｂの雌螺子部挿通部、４ｄは雌螺子部挿通部４ｃのフェース面凹部４ａ側に段差状に形設され雌螺子部材１１の矩形状の頭部１１ｂが嵌合される回り止め用の頭部嵌合部（図６）、４ｅは雌螺子収容凹部４ｂとバランサー収容部４を連結する連結孔、７は後述するバランサー９を固定するためのバランサー固定具、７ａはバランサー９の中央部に穿設された挿通孔９ａに挿通されるバランサー固定具７の挿通軸、７ｂは挿通軸7ａの一端に形設され雌螺子部材１１の雌螺子部１１ａに螺合されるバランサー固定具７の雄螺子部、７ｃはバランサー９の挿通孔９ａよりも大きな外形を有し挿通軸７ａの他端に配設されたバランサー固定具７の頭部、７ｄはバランサー固定具７を回転させて着脱する工具を嵌合するために頭部７ｃに形設された４箇所の工具嵌合凹部、７ｅは頭部７ｃの中央に形設されカバー部固定螺子８が螺着されるバランサー固定具７の頭部雌螺子部、８ａはカバー部６のバックフェース面２ｂ側に形成された貫通孔６ａから挿通されバランサー固定具７の頭部雌螺子部７ｅに螺着されるカバー部固定螺子８の雄螺子部、８ｂは雄螺子部８ａの端部に配設されたカバー部固定螺子８の頭部、８ｃはカバー部固定螺子８を回転させて着脱する工具を嵌合するために頭部８ｂに形設された４箇所の工具嵌合凹部、９は円板状に形成され中央の挿通孔９ａにバランサー固定具７の挿通軸７ａが挿通されて固定される複数のバランサー、１０はバランサー収容部４のバックフェース面２ｂ側の端面とバランサー９との間に配設されバランサー９を固定するスペーサ、１０ａはスペーサ１０の中央に穿設され挿通軸７ａが挿通される挿通孔、１２はタングステン，ステンレス，チタン等の各種金属や合成ゴムで形成されフェース面凹部４ａに覆設されるフェース面プレート、１３はヘッド本体２及びフェース面プレート１２より高い熱伝導率を有する金属で形成されフェース面プレート１２とフェース面凹部４ａとの間に配設されフェース面プレート１２及びヘッド本体２に着脱自在に接着される内側プレート、１４はヘッド本体２のバックフェース面２ｂ側に形設されフェース面凹部４ａに連通する連通孔、１４ａは連通孔１４のバックフェース面２ｂ側に形設されたカバープレート嵌合凹部、１４ｂは連通孔１４の周囲四隅に形設された固定ボルト挿通孔、１５はカバープレート嵌合凹部１４ａに着脱自在に嵌合されて連通孔１４を閉塞するカバープレート、１５ａはヘッド本体２の固定ボルト挿通孔１４ｂの位置に対応してカバープレート１５の四隅に穿設された固定孔、１６ａはカバープレート１５の固定孔１５ａ及び固定ボルト挿通孔１４ｂに挿通されヘッド本体２のフェース面２ａ側で固定ボルト挿通孔１４ｂに嵌合されるナット１６ｂと螺着されてカバープレート１５の四隅を固定する固定ボルト、１７ａ，１７ｂは連結孔４ｅの中心位置より上方及び下方にずれた位置でヘッド本体２のバックフェース面２ｂ側に穿設され後述する重心高さ調整バランサーの一端��が挿抜自在に嵌合される上下２つの嵌合凹部、１９は各々のバランサー収容部４からフェース面凹部４ａに連通して穿設された内側プレート押圧用連通孔である。
【００３７】
雌螺子部材１１の頭部１１ｂが矩形状に形成され、雌螺子収容凹部４ｂの頭部嵌合部４ｄに嵌合されるので、バランサー固定具７の雄螺子部７ｂを雌螺子部材１１の雌螺子部１１ａに螺合する際に、雌螺子部材１１が空回りすることがなく、バランサー９及びスペーサ１０を固定確実かつ強固に固定することができ、バランサー９及びスペーサ１０の固定作業性、固定安定性に優れる。
また、ヘッド本体２にバランサー固定具７の雄螺子部７ｂと螺合する雌螺子部を直接形設した場合、バランサー固定具７の着脱などにより、雌螺子部が摩耗したり、変形したりした時には、ヘッド本体２を買い換えなければならず、省資源性、環境保護性に欠けるが、本実施の形態では、雌螺子部材１１のみを交換すればよく、ヘッド本体２の長寿命性に優れる。
【００３８】
図５及び図７中、２０はカバー部６の側部６ｂに凹状に形設されたＩＣチップ収納部６ｃに固定されたＩＣチップである。
ＩＣチップ２０は、データの読込み及び書込みができるものであればよいが、本実施の形態では、無線でデータの読書きが可能な非接触式のＩＣタグを用いた。リーダライタと通信可能な距離にあるだけでデータの読書きを行うことができ、分解したり、リーダライタに接触させたりする必要がなく、使用性に優れるためである。
ＩＣチップ２０には、ヘッド本体２の製造番号，質量，重心位置，ロフト角度，ソール角度、シャフトの質量，長さ等を記憶させることができる。
また、ヘッド本体２には製造番号（図示せず）を刻設した。ＩＣチップ２０から読取った各データをコンピュータ（サーバ）などに保存、管理しておけば、ＩＣチップ２０が破損しても、製造番号を基に、各々のゴルフクラブヘッドに関するデータをコンピュータ（サーバ）から取り出して利用することができ、改めて各部の寸法，角度，質量等を測定したり、重心位置を設定し直したりする必要がなく、データ管理の確実性、信頼性に優れるためである。
【００３９】
本実施の形態では、ヘッド本体２に対向するカバー部６の一側部６ｂにＩＣチップ２０を収納するための凹状のＩＣチップ収納部６ｃを形設したので、ＩＣチップ２０がヘッド本体２と干渉することがなく、ＩＣチップ２０をカバー部６の側壁とヘッド本体２との間に挟むようにして保護して、ボールを打つ際の衝撃からもＩＣチップ２０を守ることができ、データ保護の信頼性に優れる。
尚、ＩＣチップ２０の取り付け位置は、本実施の形態に限定されるものではなく、リーダライタと通信可能な位置であればよいが、表面に露出せず、ゴルフクラブの持ち運び時や使用時に外部から衝撃を受け難い位置を選択することが好ましい。
【００４０】
図８中、１８ａ，１８ｂは各々のバランス調整部５において一端部がヘッド本体２の嵌合凹部１７ａ，１７ｂに嵌合され他端部がカバー部６の内側に形設されたカバー側嵌合部６ｄに嵌合される上下一対の重心高さ調整バランサーである。
重心高さ調整バランサー１８ａ，１８ｂの一端部がヘッド本体２の嵌合凹部１７ａ，１７ｂに嵌合され、他端部がカバー部６のカバー側嵌合部６ｄに嵌合されることにより、重心高さ調整バランサー１８ａ，１８ｂの両端部を確実に保持することができ、固定安定性に優れる。
図６乃至図８において、バランサー９や重心高さ調整バランサー１８ａ，１８ｂの材質、数、配置の組合せなどにより、ゴルフクラブヘッド１の重心の位置を簡便に調整することができる。
バランサー９及び重心高さ調整バランサー１８ａ，１８ｂとしては、タングステン，真鍮，鉄，銅，金などの比重の大きな金属やマグネシウム，アルミニウム，チタンなどの比重の小さな金属などを主成分として形成されるものの他に、金属よりも比重の小さな（軽量な）ＡＢＳ樹脂やＰＣ樹脂などの合成樹脂や合成ゴムなどで形成されるものを組合せて使用することができる。また、各々のバランサー９や重心高さ調整バランサー１８ａ，１８ｂの密度（比重、材質）や質量は、適宜、選択することができ、全て同じである必要はない。
【００４１】
バランス調整部５，５ａで調整する総調整質量は、適宜、選択することができるが、ゴルフクラブヘッド１の総質量に対して０．５％〜５０％の割合で調整可能とした。ゴルフクラブヘッド１の総質量に対するバランス調整部５，５ａの総質量の割合が０．５％よりも少なくなるにつれ、バランス調整の効果が不十分となる傾向があり、５０％よりも多くなるにつれ、ヘッド本体２単体の質量が軽くなり過ぎ、バランサー９や重心高さ調整バランサー１８ａ，１８ｂを付加しない場合のヘッドスピードが速くなり易く、ブレーキ効果が低下し易くなる傾向があることがわかったためである。
バランス調整部５はバランサー９によって重心のバランスを調整するため、カバー部６は軽量な材質で形成することが好ましいが、外力などによる破損を防止するために、機械的強度に優れるポリカーボネート等のエンジニアリング樹脂やマグネシウム等の軽金属系の素材を用いて形成した。
【００４２】
図９及び図１０において、フェース面プレート１２、内側プレート１３、カバープレート１５の形状、大きさ、厚さ等は適宜、選択することができる。フェース面プレート１２の材質としては、タングステン、ステンレス、チタン等の各種金属のほか、合成ゴム等も使用することができる。本実施の形態では、内側プレート１３の材質としてアルミニウムを用いたが、これに限定されるものではなく、ヘッド本体２及びフェース面プレート１２より高い熱伝導率を有する金属を適宜、選択することができる。カバープレート１５の材質としては、タングステン、ステンレス、チタン、金、白金等の各種金属、ガラス、合成樹脂等の中からプレー用とディスプレイ用を適宜、使い分けることができる。カバープレート１５の表面には、ユーザの名前などを彫ったり、様々な色や模様等で装飾を施したりできる。特に、ディスプレイ用の場合、貴金属や宝石などで装飾することができる。
【００４３】
フェース面プレート１２と内側プレート１３、内側プレート１３とヘッド本体２とは、それぞれ接着剤や両面テープ等で接着した。特に、熱可塑性の接着剤を用いた場合、加熱によって接着層を軟化させて簡便に剥離することができ、使用性に優れる。本実施の形態では、図９に示したように、ヘッド本体２のバックフェース面２ｂ側からフェース面凹部４ａに連通する連通孔１４を形成したので、カバープレート１５を取り外した後に、連通孔１４から内側プレート１３を直接加熱して接着層を軟化させ、内側プレート１３とヘッド本体２やフェース面プレート１２を簡便に剥離することができ、フェース面プレート１２及び内側プレート１３の交換作業性に優れる。
尚、本実施の形態では、図７及び図８に示したように、各々のバランサー収容部４からフェース面凹部４ａに連通する内側プレート押圧用連通孔１９を設けたので、中央の連通孔１４だけでなく、両側の内側プレート押圧用連通孔１９からも内側プレート１３を押圧することができ、内側プレート１３を変形させることなく、小さな力でフェース面プレート１２及び内側プレート１３を剥がすことができ、剥離の作業性に優れる。
また、カバープレート１５とヘッド本体２とは、図１０に示したように、固定ボルト１６ａとナット１６ｂにより螺子止めで固定したので、着脱作業が容易で組み立て及び分解の作業性、固定の確実性、安定性に優れる。
【００４４】
以上のように形成されたゴルフクラブヘッドを備えた実施の形態１のゴルフクラブにつき、そのメンテナンス方法に用いるメンテナンスシステムを説明する。
図１１は実施の形態１のゴルフクラブのメンテナンス方法に用いるメンテナンスシステムの構成を示す模式図であり、図１２は実施の形態１のゴルフクラブのメンテナンス方法に用いるメンテナンスシステムのコンピュータの装置ブロック図である。
図１１中、３０は実施の形態１のゴルフクラブのメンテナンス方法に用いるメンテナンスシステム、３１は各ユーザの所有する実施の形態１のゴルフクラブの各種情報（データ）を一元管理するメンテナンスシステム３０のサーバ、３２は世界の各販売店に設置されサーバ３１と各種通信回線で接続されてインターネットを通じて各種情報の送受信を行うメンテナンスシステム３０のコンピュータ、３２ａは各コンピュータ３２とＵＳＢ（Ｕｎｉｖｅｒｓａｌ  Ｓｅｒｉａｌ  Ｂｕｓ）ケーブル等を用いて接続され実施の形態１のゴルフクラブのゴルフクラブヘッド１に内蔵されたＩＣチップ２０（図５，７参照）と通信してデータの読込み及び書込みを行うメンテナンスシステム３０のリーダライタである。
【００４５】
次に、メンテナンスシステムのコンピュータについて説明する。
３３はコンピュータ装置４の中央処理装置、３４は各販売店等においてメンテナンスを行うインストラクターが必要なデータを入力したり、コンピュータ３２への指示を与えたりするためのキーボードやマウス等の入力装置、３５はリーダライタ３２ａを用いてＩＣチップ２０から読取った三次元重心位置情報やゴルフクラブヘッドの仕様情報等の各種情報（データ）などを文字や画像で表示するモニタ等の表示装置、３６はリーダライタ３２ａから送られる各種情報や入力装置３４から入力される各種データ等を記憶するコンピュータ３２のＲＡＭ、３７はコンピュータ３２の起動時に実行されるプログラム等が記憶されたＲＯＭである。
【００４６】
次に、中央処理装置の機能実現手段について図面を用いて説明する。
図１３は実施の形態１のゴルフクラブのメンテナンス方法に用いるコンピュータの中央処理装置の機能実現手段を示す機能ブロック図である。
図１３において、中央処理装置３３の３３１はゴルフクラブヘッド１のＩＣチップ２０に記憶されたユーザの個人情報やゴルフクラブヘッド１の三次元重心位置情報等の各種情報に対し、入力装置３４を通してユーザやインストラクター等から情報更新が要求されたか否かを判定する情報更新要求判定手段、３３２はＩＣチップ２０に記憶された更新前の各種情報をリーダライタ３２ａを通して読取る（或いはサーバ３１に記憶された更新前の各種情報をインターネットを通じて読取る）更新前情報読取り手段、３３３は入力装置３４を通してユーザやインストラクター等から要求される個人情報、仕様情報、三次元重心位置情報の更新情報を読込む更新情報読込み手段、３３４は重心調整のベースとなるヘッド本体２のデザインの情報（ヘッド本体の材質、ヘッド本体単体の重心位置、ロフト角度、ソール角度などのヘッド本体２の製造に必要な値）をサーバ３１から読込むベースデザイン読込み手段、３３５は要求される調整目標（更新予定）の三次元重心位置（要求三次元重心位置）を数値や画像で表示装置３５に表示させる要求三次元重心位置表示手段、３３６は要求三次元重心位置と更新（調整）前の現在の三次元重心位置情報から重心位置調整量を算出する重心位置調整量算出手段、３３７は重心位置調整量算出手段３３６で算出した重心位置調整量に基づいて追加又は削除するバランサー９や重心高さ調整バランサー１８ａ，１８ｂの質量、数、位置等を表示装置３５に表示させる重心調整量指示手段、３３８は重心調整量指示手段３３７からの指示に基づいて重心の調整が行われた後、ユーザからの重心位置の追加調整要求の有無を判定する重心位置追加調整要求判定手段、３３９は更新すべきユーザの個人情報や仕様情報及び確定した調整（変更）後の三次元重心位置情報をリーダライタ３２ａを通してゴルフクラブヘッド１のＩＣチップ２０に書込むように指示する情報更新指示手段、３４０はＩＣチップ２０に書込んだ情報と同じ情報をサーバ３１に送信するように指示する情報送信指示手段である。
【００４７】
上記手段３３１〜３４０により実現される機能につき、中央処理装置３３の動作に基づいて説明する。
図１４は、実施の形態１のゴルフクラブのメンテナンス方法に用いるメンテナンスシステムの中央処理装置の動作を示すフローチャートである。
図１４において、図１１（図１２）のコンピュータ３２を起動すると、ＲＯＭ３７に記憶されたプログラムが実行され、中央処理装置３３は、ユーザの個人情報やゴルフクラブヘッド１の三次元重心位置情報等の各種情報に対するユーザやインストラクター等からの情報更新の要求を待つ（Ｓ１：情報更新要求判定ステップ）。情報更新要求は、インストラクター等が図１２のキーボードやマウス等の入力装置３４から入力され、ＲＡＭ３６に記憶される。
【００４８】
情報更新要求判定手段３３１で入力装置３４から情報の更新が要求されたと判定した場合、更新前情報読取り手段３３２によりＩＣチップ２０或いは図１１のサーバ３１に記憶された上記各種情報を、図１２のリーダライタ３２ａを通して或いはインターネットを通じて読取り（Ｓ２：更新前情報読取りステップ）、ＲＡＭ３６に記憶する。尚、初めての情報更新要求の場合、ヘッド本体２の製造時にＩＣチップ２０（或いはサーバ３１）に記憶されたヘッド本体２の質量、各部の寸法、初期重心位置等のゴルフクラブヘッド１の仕様情報（初期値）が読取られる。
続いて、情報更新要求判定手段３３１は、入力装置３４から個人情報の更新が要求されたか否かを判定（Ｓ３：個人情報更新判定ステップ）し、個人情報の更新が要求されたと判定した時には、更新情報読込み手段３３３により、ＲＡＭ３６への個人更新情報の読込みを行う（Ｓ４：個人更新情報読込みステップ）。ここでは、ユーザの氏名やユーザ登録番号等が読込まれる。
情報更新要求判定手段３３１は、個人情報更新判定ステップＳ３で入力装置３４から個人情報の更新が要求されていないと判定した時、或いは個人更新情報読込みステップＳ４が完了した後、仕様情報の更新が要求されたか否かを判定（Ｓ５：仕様情報更新判定ステップ）し、入力装置３４から仕様情報の更新が要求されたと判定した時には、更新情報読込み手段３３３により、ＲＡＭ３６への仕様更新情報の読込みを行う（Ｓ６：仕様更新情報読込みステップ）。ここでは、ヘッド本体２のライ角度、ロフト角度、ソール形状や角度、ヘッド本体の質量と重心位置等が読込まれる。
【００４９】
次に、情報更新要求判定手段３３１は、仕様情報更新判定ステップＳ５で入力装置３４から仕様情報の更新が要求されていないと判定した時、或いは仕様更新情報読込みステップＳ６が完了した後、入力装置３４から重心位置調整が要求されたか否かを判定（Ｓ７：重心位置調整要求判定ステップ）し、重心位置調整が要求されたと判定した時には、重心位置調整を行うベースとなるヘッド本体２の仕様に近いデザインの情報を図１１のサーバ３１からＲＡＭ３６へ読込む（Ｓ８：ベースデザイン読込みステップ）。尚、仕様情報更新判定ステップＳ５において、入力装置３４から仕様情報の更新が要求されていないと判定している場合には、更新前情報読取りステップＳ２で読取った仕様情報に基づいてベースデザインを選択し、仕様情報更新判定ステップＳ５において、入力装置３４から仕様情報の更新が要求されたと判定している場合には、仕様更新情報読込みステップＳ６で読込んだ新たな仕様情報に基づいてベースデザインを選択する。
【００５０】
次に、要求三次元重心位置表示手段３３５は、重心位置調整要求判定ステップＳ７で要求された調整目標（更新予定）の三次元重心位置（要求三次元重心位置）を数値や画像で図１２の表示装置３５に表示させる。これにより、ユーザやインストラクターは表示装置３５の画面上で要求した三次元重心位置を確認することができる。尚、要求三次元重心位置の表示方法は、適宜、選択することができる。ゴルフクラブヘッド１の三次元画像に重ねて要求三次元重心位置を輝点等で表示するものが視認性に優れ好ましいが、二次元画像に重ねて表示しても良い。
次に、重心位置調整量算出手段３３６は、要求三次元重心位置と現在（調整前）の三次元重心位置情報から重心位置調整量を算出する（Ｓ１０：重心位置調整量算出ステップ）。
そして、重心調整量指示手段３３７は、重心位置調整量算出手段３３６で算出した重心位置調整量に基づいて、使用するフェース面プレート１２の材質や質量或いは追加又は削除するバランサー９や重心高さ調整バランサー１８ａ，１８ｂの質量、数、位置等を表示装置３５に表示する等してインストラクターに対して重心の調整を指示する（Ｓ１１：重心調整量指示ステップ）。インストラクターは重心調整量指示手段３３７の指示に従ってフェース面プレート１２の材質や質量或いはバランサー９や重心高さ調整バランサー１８ａ，１８ｂの質量、数、位置等を変更し、簡便に重心の位置調整を行うことができる。尚、ここで、ユーザは重心が調整されたゴルフクラブヘッド１を用いて素振りや試し打ちなどを行い、要求を満足しているかどうかを確認できる。
【００５１】
次に、重心位置追加調整要求判定手段３３８は、重心調整量指示手段３３７の指示に基づく重心位置の調整が行われた後、さらに重心位置の追加調整が要求されたかどうかを入力装置３４からの追加調整要求の入力の有無により判定する（Ｓ１２：重心位置追加調整要求判定ステップ）。
重心位置追加調整要求判定手段３３８で重心位置の追加調整が入力装置３４から要求されたと判定した場合は、要求三次元重心位置表示ステップＳ９に戻り、重心位置追加調整要求判定ステップＳ１２で重心位置の追加調整が入力装置３４から要求されていないと判定するまで、重心位置調整量算出ステップＳ１０、重心調整量指示ステップ１１に従って、重心位置の追加調整が繰返す。これにより、ユーザの要求を満足するまで三次元重心位置の微調整を行うことができる。
そして、重心位置追加調整要求判定ステップＳ１２で重心位置の追加調整が入力装置３４から要求されていないと判定した時は、情報更新指示手段３３９から、更新すべきユーザの個人情報や仕様情報と共に、確定した調整（変更）後の三次元重心位置情報をリーダライタ３２ａを通してゴルフクラブヘッド１のＩＣチップ２０に書込むように指示する（Ｓ１３：情報更新ステップ）。これにより、ユーザの個人情報とゴルフクラブヘッド１の仕様情報や三次元重心位置情報を関連付けして、ゴルフクラブヘッド１と共に常に最新の状態で管理することができる。尚、三次元重心位置情報には、バランサー９や重心高さ調整バランサー１８ａ，１８ｂの質量、数、位置以外に、重心位置に関係するフェース面プレート１２やカバープレート１５の材質や厚さ等も含まれる。
最後に、情報送信指示手段３４０からの指示により、情報更新ステップＳ１３でＩＣチップ２０に書込まれたものと同じ各種情報をインターネットを通じてサーバ３１に送信する（Ｓ１４：情報送信ステップ）。これにより、世界各地の各々のユーザが所有するゴルフクラブに関する情報をサーバ３１で一元管理することができる。
【００５２】
以上のように、実施の形態１におけるゴルフクラブは構成されているので、以下のような作用を有する。
（１）バランス調整部の１つとしてヘッド本体に形設されたバックフェース面側バランス調整部のカバー部に、ゴルフクラブヘッドの三次元重心位置情報を記憶するＩＣチップを収納するＩＣチップ収納部が形設されているので、ゴルフクラブヘッドの重心位置がバランス調整部で調整された際に、その三次元重心位置情報をＩＣチップに記憶させてＩＣチップ収納部に収納することにより、ゴルフクラブヘッドと共に管理することができ、ＩＣチップに記憶された三次元重心位置情報を基に重心位置の微調整を行うことやメンテナンス等のために分解した後に、ＩＣチップに記憶された三次元重心位置情報に基づいて速やかに元の重心位置に設定することができ、重心調整の作業性、メンテナンス性に優れる。
（２）ＩＣチップが収納されるＩＣチップ収納部を有するので、ゴルフクラブヘッドとＩＣチップに記憶される三次元重心位置情報を一対一に対応させて管理することができ、シャフトを取り外したり、交換したりしても、三次元重心位置情報が失われることがなく、ゴルフクラブヘッドを廃棄するまで必要に応じていつでもＩＣチップから三次元重心位置情報を取り出して有効に利用することができ、データの取扱い性、有効利用性、データ管理の確実性に優れる。
（３）フェース面側バランス調整部が、ヘッド本体のフェース面側に形設されたフェース面凹部と、フェース面凹部に覆設されるフェース面プレートを有するので、フェース面プレートの材質（質量）を選択して交換するだけで、ヘッド本体の前後方向の重心位置を調整することができると共に、フェース面プレートの硬さによって、ボールへのタッチの感触を調整し、新しいユーザの好み等に対応することができ、重心位置調整の作業性、ヘッドの設計自在性に優れる。
（４）フェース面側バランス調整部が、フェース面プレートとフェース面凹部との間に配設されフェース面プレート及びヘッド本体に着脱自在に接着される内側プレートを有するので、内側プレートを挟んでフェース面プレートとヘッド本体を確実に接着することができ、フェース面プレートの固定の確実性に優れる。
（５）フェース面側バランス調整部が、ヘッド本体のバックフェース面側に形設されフェース面凹部に連通する連通孔を有することにより、バックフェース面側から連通孔を通して内側プレートを押圧して、ヘッド本体からフェース面プレートと一緒に引き剥がすことができるので、フェース面プレートを傷付けたり、変形させたりすることがなく、フェース面プレートを繰り返し使用することができ、省資源性に優れる。
（６）ヘッド本体のバックフェース面側にフェース面凹部に連通する連通孔が形設されていることにより、連通孔から内側プレートを直接加熱して接着層を軟化させ、内側プレートとヘッド本体やフェース面プレートを小さな力で簡便に剥離することができ、内側プレート及びフェース面プレートのメンテナンス性、剥離作業の省力性に優れる。
（７）内側プレートがヘッド本体及びフェース面プレートより高い熱伝導率を有する金属で形成されていることにより、内側プレート全体を短時間で効率的に加熱して、内側プレートの表裏の接着層を確実に軟化させ、ヘッド本体及びフェース面プレートから簡便に剥離させることができ、内側プレートやフェース面プレートに負荷がかかることがなく、変形を防止して、繰り返し使用することができ、剥離の作業性、省資源性に優れる。
（８）連通孔のバックフェース面側に着脱自在に覆設されるカバープレートを有することにより、プレー中に連通孔から雨水などが浸入することを防止できると共に、フェース面プレートの交換時にはカバープレートを取り外し、連通孔を開放して内側プレートを露出させ、内側プレートの加熱や押圧を行って交換作業を行うことができ、メンテナンスの作業性に優れる。
（９）着脱自在なカバープレートの材質（質量）を選択して交換することにより、ゴルフクラブヘッドの前後方向の重心位置を調整することができ、フェース面プレートの材質（質量）との組合せで、前後方向の重心位置の調整の幅を広げることが可能で、ヘッド本体の設計及び重心位置調整の自在性に優れる。
（１０）ユーザの好みに応じて、カバープレートの材質を選択することやカバープレートへの着色、装飾、彫刻等を施すことができ、装飾性に優れる。
（１１）フェース面プレート、内側プレート、カバープレートの材質、密度、質量の少なくとも１つが三次元重心位置情報としてＩＣチップに記憶されることにより、その情報（データ）に基づいて、フェース面プレート、内側プレート、カバープレートの交換による重心位置の変化量を簡便かつ確実に求めることができ、データ管理の信頼性、メンテナンス性に優れる。
（１２）バックフェース面側バランス調整部が、ヘッド本体のバックフェース面側のトウ側及びヒール側にそれぞれ形設されたバランサー収容部を有するので、各々のバランサー収容部に収容されるバランサーの数、各々のバランサーの材質（質量）、配置の組合せを選択することにより、ヘッド本体の形状によらず、ユーザの癖や好み等に応じて、幅広い範囲で簡便にヘッドの左右方向及び前後方向の重心位置を細かく調整して最適位置を選択することができ、重心設計の自在性、汎用性に優れる。
（１３）バックフェース面側バランス調整部が、バランサー収容部に着脱自在に覆設されるカバー部を有するので、バランサーや重心高さ調整バランサーを風雨や外力から保護して破損や紛失などを防ぐことができ、使用性に優れる。
（１４）バックフェース面側バランス調整部が、各々のバランサー収容部の位置に対応してフェース面凹部のフェース面側に形設された雌螺子収容凹部と、各々の雌螺子収容凹部に着脱自在に嵌入される雌螺子部材と、ヘッド本体に穿設され各々の雌螺子収容凹部とバランサー収容部を連結する連結孔を有するので、ヘッド本体のバックフェース面側からバランサー収容部に収容される１乃至複数のバランサーの挿通孔及び連結孔にバランサー固定具を挿通して、雌螺子部材に螺着するだけでバランサーを確実に固定することができ、バランサーの固定安定性に優れ、ヘッド本体に雌螺子を形設する必要がなく、加工性に優れると共に、雌螺子部材やバランサー固定具が摩耗、変形、破損した場合には、雌螺子部材やバランサー固定具のみを交換するだけでよく、ヘッド本体を長期間使用することができ、省資源性、環境保護性に優れる。
（１５）バックフェース面側バランス調整部が、連結孔の中心位置より上方又は下方にずれた位置でヘッド本体のバックフェース面側に穿設された少なくとも１つの嵌合凹部と、嵌合凹部に一端部が挿抜自在に嵌合される重心高さ調整バランサーを有するので、各々の嵌合凹部に嵌合される重心高さ調整バランサーの材質（質量）、配置の組合せを選択することにより、バランサーによるヘッドの前後方向及び左右方向の重心位置の調整に加え、重心高さ調整バランサーによるヘッドの上下方向の重心位置の調整を行うことができ、ヘッドの三次元重心位置によるカスタマイズを簡便に行って、ユーザの癖や好み等に確実に対応することができ、重心調整の自在性、汎用性に優れる。
（１６）各々のバランサーや重心高さ調整バランサーの材質、密度、質量の少なくとも１つと、バランサーや重心高さ調整バランサーの配置が三次元重心位置情報としてＩＣチップに記憶されることにより、その情報（データ）に基づいて、バランサーや重心高さ調整バランサーの交換による重心位置の変化量を簡便かつ確実に求めることができ、データ管理の信頼性、メンテナンス性に優れる。
（１７）バランサーや重心高さ調整バランサーでヘッド全体の重心をフェース面側やソール面側が重くなるようにした場合、フェース面がボールの芯の下（赤道上の重心より低い位置）に当たり易くなり、ボールのバックスピン回転を増やすことができ、ボールにコントロールをつけ易く、ショートクラブ用或いは短距離又は速いグリーンでのパッティング用のクラブヘッドとしての使用性に優れる。
（１８）バランサーや重心高さ調整バランサーでヘッド全体の重心をクラウン側やバックフェース面が重くなるようにした場合、フェース面がボールの芯（赤道上の重心付近）又は芯よりやや高い位置に当たり易くなり、インパクト時のロスを減らして、飛距離を伸ばすことができる。
（１９）ユーザの個人情報とゴルフクラブヘッドの仕様情報を１つのＩＣチップに記憶することにより、ユーザの個人情報とゴルフクラブヘッドの仕様情報を関連付けして簡便に管理することができ、必要に応じて記憶された各種情報（データ）を読取って、コンピュータなどで保存、管理したり、それらの情報を更新して、ＩＣチップに最新の情報として書込んで記憶させたりして、ユーザやゴルフクラブヘッドに関する情報を漏れなく確実に管理することができ、データ管理の確実性、信頼性に優れる。
（２０）ＩＣチップがゴルフクラブヘッドのＩＣチップ収納部に収納され、該ゴルフクラブヘッドと常に一体にあるので、メンテナンス時等にＩＣチップを紛失する等の事故を防止できる。
（２１）ＩＣチップ収納部に収納されたＩＣチップを有するので、ユーザの個人情報とゴルフクラブヘッドの仕様情報を関連付けして１つのＩＣチップに記憶させ、ゴルフクラブヘッドと共に簡便に管理することができ、必要に応じて記憶された各種情報（データ）を読取って、コンピュータなどで保存、管理したり、それらの情報を更新して、ＩＣチップに最新の情報として書込んで記憶させたりして、ユーザやゴルフクラブヘッドに関する情報を漏れなく確実に管理することができ、データ管理の確実性、信頼性に優れる。
（２２）ＩＣチップ収納部に収納されたＩＣチップに、ゴルフクラブヘッドの売買や譲渡の記録、ユーザの履歴等を記憶させることができるので、ゴルフクラブヘッドの真贋（正規品か否か）や正当に取引されたものかどうか（盗品か否か）を簡便かつ確実に判別することができ、ゴルフクラブヘッドの流通管理の信頼性に優れる。
（２３）バランス調整部（フェース面側バランス調整部及びバックフェース面側バランス調整部）を有することにより、ユーザの体調の変化や老化などによる体力の低下などに応じて、ゴルフクラブヘッドの三次元重心位置を適正に修正することができ、汎用性に優れる。
【００５３】
以上のように、実施の形態１におけるゴルフクラブメンテナンス方法は構成されているので、以下のような作用を有する。
（１）バランス調整部でゴルフクラブヘッドの三次元重心位置が調整された時にＩＣチップに記憶された三次元重心位置情報を更新する情報更新ステップを有するので、ゴルフクラブヘッドの三次元重心位置情報をゴルフクラブヘッドと共に常に最新の状態で管理することができ、ゴルフクラブヘッドのメンテナンス時にバランサーや重心高さ調整バランサーを紛失したり、配置が分からなくなったりした場合でも、三次元重心位置情報に基づいて元の重心位置を速やかに再現することができ、重心調整の作業性、メンテナンス性に優れる。
（２）ユーザが要求する調整後の三次元重心位置をモニタ画面に表示する要求三次元重心位置表示ステップを有することにより、ゴルフクラブヘッドの三次元重心位置を目で見て確認しながら重心位置の調整を行うことができるので、重心位置の調整量や調整方向を直感的に把握し易く、重心位置の調整作業が容易で、メンテナンス性に優れる。
（３）情報更新ステップにおいて、ＩＣチップに記憶されたゴルフクラブのユーザの個人情報と、ゴルフクラブヘッドの仕様情報が更新されることにより、ユーザの個人情報とゴルフクラブヘッドの仕様情報を関連付けして簡便に管理することができ、必要に応じて記憶された各種情報（データ）を読取って、コンピュータなどで保存、管理したり、それらの情報を更新して、ＩＣチップに最新の情報を書込んで記憶させたりして、情報を漏れなく確実に管理することができ、データ管理が容易で、メンテナンス性に優れる。
（４）ＩＣチップに記憶された三次元重心位置情報、ユーザの個人情報、ゴルフクラブヘッドの仕様情報をコンピュータに読取る情報読取りステップを有するので、世界各地の販売店などに設置したコンピュータにより、各々のユーザが所有するゴルフクラブの各種情報を読取って、各種情報の確認やゴルフクラブのメンテナンス等を行うことができ、メンテナンス性、顧客サービスの信頼性に優れる。
（５）情報更新ステップで更新された三次元重心位置情報、個人情報、仕様情報をサーバに送信する情報送信ステップを有するので、世界各地の販売店などに設置したコンピュータにより、各々のユーザが所有するゴルフクラブの各種最新情報（更新情報）をユーザ情報と共にサーバに送信して、サーバで一元管理することができ、サーバに接続されたコンピュータがあれば、いつでもどこでもサーバから必要な情報を取出して、各種情報の確認や更新、ゴルフクラブのメンテナンス等を行うことができ、メンテナンスの作業性、顧客サービスの汎用性、データ管理の信頼性に優れる。
（６）ユーザの体調の変化や老化などによる体力の低下などに応じて適正に修正されるゴルフクラブヘッドの三次元重心位置情報をＩＣチップやサーバ等で確実に管理することができ、メンテナンス性、顧客サービスの信頼性に優れる。
【産業上の利用可能性】
【００５４】
本発明は、ゴルフクラブヘッドのバランス調整作業が容易でメンテナンス性に優れ、部品の損耗が発生し難く、耐久性に優れ、ユーザの好み等に応じてカスタマイズしたゴルフクラブヘッドの仕様情報や三次元重心位置情報などを記憶して、いつでも簡便かつ確実に最適な設定を再現することができ、取扱い性に優れ、１つのゴルフクラブヘッドを長期間に渡って使用することができ、省資源性に優れるゴルフクラブの提供、及びゴルフクラブのユーザの個人情報、ゴルフクラブヘッドの仕様情報や三次元重心位置情報などの各種情報をゴルフクラブのメンテナンス情報として蓄積し、蓄積された情報に基づいてゴルフクラブのカスタマイズを簡便に行うことができ、情報の管理が容易で、メンテナンス性に優れるゴルフクラブのメンテナンス方法の提供を行って、ゴルフ人口の増加と共に、省資源化、環境保護に貢献することができる。
【符号の説明】
【００５５】
１  ゴルフクラブヘッド
２  ヘッド本体
２ａ  フェース面
２ｂ  バックフェース面
２ｃ  シャフト差込孔
２ｄ  クラウン
２ｅ  本体雌螺子部
３  ソール
３ａ  凹部
３ｂ  傾斜部
４  バランサー収容部
４ａ  フェース面凹部
４ｂ  雌螺子収容凹部
４ｃ  雌螺子部挿通部
４ｄ  頭部嵌合部
４ｅ  連結孔
５  バックフェース面側バランス調整部
５ａ  フェース面側バランス調整部
６  カバー部
６ａ  貫通孔
６ｂ  側部
６ｃ  ＩＣチップ収納部
７  バランサー固定具
７ａ  挿通軸
７ｂ  雄螺子部
７ｃ  頭部
７ｄ  工具嵌合凹部
７ｅ  頭部雌螺子部
８  カバー部固定螺子
８ａ  雄螺子部
８ｂ  頭部
８ｃ  工具嵌合凹部
９  バランサー
９ａ  挿通孔
１０  スペーサ
１０ａ  挿通孔
１１  雌螺子部材
１１ａ  雌螺子部
１１ｂ  頭部
１２  フェース面プレート
１３  内側プレート
１４  連通孔
１４ａ  カバープレート嵌合凹部
１４ｂ  固定ボルト挿通孔
１５  カバープレート
１５ａ  固定孔
１６ａ  固定ボルト
１６ｂ  ナット
１７ａ，１７ｂ  嵌合凹部
１８ａ，１８ｂ  重心高さ調整バランサー
１９  内側プレート押圧用連通孔
２０  ＩＣチップ
【図１】
2011072436.tif 000003
【図２】
2011072436.tif 000004
【図３】
2011072436.tif 000005
【図４】
2011072436.tif 000006
【図５】
2011072436.tif 000007
【図６】
2011072436.tif 000008
【図７】
2011072436.tif 000009
【図８】
2011072436.tif 000010
【図９】
2011072436.tif 000011
【図１０】
2011072436.tif 000012
【図１１】
2011072436.tif 000013
【図１２】
2011072436.tif 000014
【図１３】
2011072436.tif 000015
【図１４】
2011072436.tif 000016